(57)【要約】【課題】      スライダー本体に錆びが生じたり、塗装がはがれたりしてスライダー本体が固着して動かなくなることを防止した釣り用ケースを提供すること【解決手段】  釣り竿を収納する釣り竿ケースは、開口を有する筒状のケース本体２を有し、このケース本体２は、開口を開閉自在に閉塞するスライドファスナー５を有している。スライドファスナー５の少なくともスライダー本体７はステンレス鋼で形成すると共に、スライダー本体７の表面は、塗装等の表面層を有しないことによって、表面層の剥離をなくし、塩分やゴミの付着によるスライダー本体７の錆の発生を防止し、スライダー本体７が固着して動かなくなってしまうことを防止する。【選択図】        図１
2005152066.tif 000002
【特許請求の範囲】
【請求項１】
開口を有するケース本体と、該ケース本体の開口を開閉自在に閉塞するスライドファスナーを有する釣り用ケースであって、前記スライドファスナーの少なくともスライダー本体をステンレス鋼で形成すると共に、前記スライダー本体の表面は、塗装等の表面層を有しないことを特徴とする釣り用ケース。
【発明の詳細な説明】
【技術分野】
【０００１】
本発明は、容器本体の開口を開閉自在に閉塞するスライドファスナーを有する釣り用ケースの改良に関する。
【背景技術】
【０００２】
釣り用ケースは、餌箱や撒き餌を入れるバケツ、釣り用バッグ、釣り竿ケース、ビクなど、内部に収納した餌や釣り具が濡れたり塩分が付着しないようにするためその開口が閉塞できるようになっている。
特許文献１の釣り用バケツは、バケツ本体の開口を閉塞する蓋体を有し、バケツ本体の上縁及び蓋体の周縁部にはチャックが付設され、チャックがスライド部材によって互いに噛み合い可能になっている
しかし、このような釣り用バケツは、内部に撒き餌を収納したり、また、海辺で使用することが多いためチャックのスライダー本体の塗装がはがれ、錆びが生じやすくスライダー本体が固着して動かなくなるという不具合があった。
【特許文献１】特開平１１−６９９３４号公報
【発明の開示】
【発明が解決しようとする課題】
【０００３】
解決しようとする問題点は、釣り用ケースが、内部に撒き餌を収納したり、また、海辺で使用することが多いためスライドファスナーにおけるスライダー本体の塗装が剥がれたり、錆びが生じやすくスライダー本体が固着して動かなくなることである。
【０００４】
本発明の目的は前記欠点に鑑み、スライダー本体に錆びが生じたり、塗装がはがれたりしてスライダー本体が固着して動かなくなることを防止した釣り用ケースを提供することである。
【課題を解決するための手段】
【０００５】
本発明の請求項１は、開口を有するケース本体と、該ケース本体の開口を開閉自在に閉塞するスライドファスナーを有する釣り用ケースであって、前記スライドファスナーの少なくともスライダー本体をステンレス鋼で形成すると共に、前記スライダー本体の表面は、塗装等の表面層を有しないことを要旨とするものである。
【発明の効果】
【０００６】
本発明により、ケース本体の開口を開閉自在に閉塞するスライドファスナーにおけるスライダー本体の塗装の剥がれや錆が防止され、スライダー本体が固着して動かなくなることが防止される。
【発明を実施するための最良の形態】
【０００７】
釣り竿を収納する釣り竿ケースは、開口を有する筒状のケース本体２を有し、このケース本体２は、開口を開閉自在に閉塞するスライドファスナー５を有している。
スライドファスナー５の少なくともスライダー本体７をステンレス鋼で形成すると共に、スライダー本体７の表面は、塗装等の表面層を有しないことによって、表面層の剥離を防止し、塩分やゴミの付着によるスライダー本体７の錆の発生を防止し、スライダー本体７が固着して動かなくなってしまうことを防止する。
【０００８】
また、ファスナーエレメント６ｂやスライダー本体７に取り付ける引き手８は、合成樹脂等の金属以外の材料で形成する。
【実施例１】
【０００９】
以下、図示の実施例によって本発明を説明すると、図１から図２は第１実施例で、図１は釣り竿ケースの外観図、図２は釣り竿ケースのスライドファスナーの部分拡大図である。
【００１０】
釣り竿ケース１は、ケース本体２とこのケース本体２を持ち運ぶためケース本体２に取り付けたショルダーベルト４を有し、ケース本体２は、内部に釣り竿の収納部を有し、筒状に形成され、その底部に底皿３が取り付けられてケース本体２の底部が補強されている。
【００１１】
ケース本体２は、合成樹脂シートや皮革等の材料で釣り竿を収納しやすいように上下方向に長く形成され、その長手方向に沿って釣り竿の出し入れを行うための開口２ａを有している。
そして、開口２ａを開閉するために開口２ａに沿ってスライドファスナー５が設けられている。
【００１２】
スライドファスナー５は、ケース本体２の開口２ａに沿って設けられた左右のレール部６とレール部６に沿って移動し、左右のレール部６を係合および係合を解除して開口２ａを開閉するスライダー本体７を有し、このスライダー本体７にはこれを移動させるための引き手８が設けられている。
【００１３】
スライドファスナー５のレール部６は、ファスナーテープ６ａとこのファスナーテープ６ａの外面側に取着糸６ｃにて縫着された線状のファスナーエレメント６ｂを有し、それぞれ開口２ａの左右両側に配される。
線状のファスナーエレメント６ｂは合成樹脂の線材をコイル状に形成した状態で縫着され、左右のファスナーエレメント６ｂの対向側には、交互に係合するように膨出状の係合部６ｄが形成されている。
また、ファスナーテープ６ａは防水性を有する材料で形成し、スライドファスナー５が閉じられて時は、その開口側端部６ｅ、６ｅが付き合わされるか又は重合するようになっているため、開口２ａからケース本体２の内部に水やゴミの進入が防止されている。
【００１４】
また、ファスナーエレメント６ｂは合成樹脂で形成されゴミや塩が付着しても腐敗しにくく、可撓性を有しているためゴミや塩が付着してもスライダー本体７の動きを規制しにくい。
【００１５】
スライダー本体７は、錆びにくく、適度な強度が得られることからステンレス鋼で形成される。
スライダー本体７に使用されるステンレス鋼は、冷間加工によって適度な強度が得られる加工硬化型のオーステナイト系ステンレス鋼ＳＵＳ３０１や、非磁性を呈するＣｒ−Ｎｉ系オーステナイトステンレス鋼ＳＵＳ３０４、ＳＵＳ３１６等があげられる。
【００１６】
スライダー本体７の表面は、ショットブラスト、サンドブラストやその他の研磨が施され、ＪＩＳ  Ｂ  ０６０１による計算表面粗さ（Ｒａ）を２５μｍ以下とし、表面における塩分、ゴミ等を付着しにくくして錆の発生を防止し、また、表面に塗装、メッキ等を行わずにスライダー本体７のステンレス鋼の表面が露出している（スライダー本体７を形成するステンレス鋼の表面側に表面層を有しない）ため使用時に塗装、メッキ等の表面層の剥離が発生しない。
前記スライダー本体７の計算表面粗さ（Ｒａ）は、より小さい方が好ましく、１．０μｍ程度にしても良い。
【００１７】
また、スライダー本体７に取り付けられる引き手８は、金属以外の材料で形成され、柔軟性を有する合成樹脂の組紐を握持部となる合成樹脂管に挿通し、その端部を抜け止されて形成され、合成樹脂の組紐がスライダー本体７に一体に設けた係止部７ａに取り付けられている。
【００１８】
釣り竿ケース１を使用する時は、内部に釣り竿を収納して釣り場に持ち込むが、このときに雨に濡れたり、潮がかかったり、また、撒き餌等が付着することがあり、これらがスライドファスナー５に付着する。
したがって、従来の釣り竿ケースであれば、スライダー本体７の塗装が剥がれ、さらには塗装が剥がれたところから錆が生じ、これら剥がれた塗装と錆がスライダー本体７とファスナーエレメント６ｂとの間に介在するようになるためスライダー本体７の動きが鈍くなり、やがて固着して動かなくなっていた。
【００１９】
しかし、釣り竿ケース１のスライドファスナー５においては、スライダー本体７をステンレス鋼で形成し、塗装等の表面層を有していないため、塗装が剥がれることが無く、錆が生じにくいためスライダー７の固着が防止される。
また、スライダー本体７の表面粗さも小さくしているため塩やゴミが付着しにくくこの点についても錆びを防止している。
しかも、引き手８は金属以外の材料で形成されているため腐食しにくい。
【実施例２】
【００２０】
図３は第２実施例で、図３は釣り用バケツの外観図である。
【００２１】
第２実施例は、撒き餌や魚を入れる釣り用バケツにおける実施例であって、釣り用バケツ９は、上方に開口を有する容器本体（ケース本体）１０とこの開口を閉塞する蓋体１１を有し、容器本体１０の開口と蓋体１１周縁部には開閉自在のスライドファスナー１３が設けられている。
釣り用バケツ９を使用する時は、容器本体１０内で撒き餌を作り、すぐに撒き餌ができるように蓋体１１を開いて足下に置いておく、そして、ポイントの移動等その持ち運びにおいてはスライドファスナー１３を閉じて蓋体１１で開口を閉塞し容器本体１０に取り付けた一対のハンドル１２、１２を握持して移動できる。
【００２２】
第２実施例においても引き手１５は、合成樹脂で形成されている。
スライドファスナー１３は、実施例１と同様のものを用いるため、スライダー本体１４は、ステンレス鋼で形成され、表面に塗装等の表面層を有しないため、表面層の剥がれや錆によるスライダー本体１４の固着が防止されている。
【産業上の利用可能性】
【００２３】
釣り用ケース全般に実施できる。
【図面の簡単な説明】
【００２４】
【図１】第１実施例で、釣り竿ケースの外観図である。
【図２】同、釣り竿ケースのスライドファスナーの部分拡大図である。
【図３】第２実施例で、釣り用バケツの外観図である。
【符号の説明】
【００２５】
１  釣り竿ケース
２  ケース本体
５、１３  スライドファスナー
６  レール部
７、１４  スライダー本体
８、１５  引き手
【図１】
2005152066.tif 000003
【図２】
2005152066.tif 000004
【図３】
2005152066.tif 000005